(57)【要約】【課題】可動側筐体に関する改良により、強度を十分に確保しつつ、部品点数を削減して低コスト化を図ることができる携帯端末装置を提供する。【解決手段】固定側筐体３に対して重ね合わせ自在に連結される可動側筐体４が、当該可動側筐体４用の電子部品を内蔵する深さの側壁８ａを有して表示装置７の表示部７ａを開口部８ｂ側に露出させる箱形状でマグネシウム合金製の外装ケース８と、該外装ケース８の開口部８ｂに固定されて表示装置７の表示部７ａ表面を覆う平板状で樹脂製のパネル板９とよりなるので、可動側筐体４用のケースとしては、表示装置７の表示部７ａ側用のケースが削除されて、箱形状の１個の外装ケース８で済み、部品点数削減および低コスト化を図ることができ、かつ、該外装ケース８が軽量・高強度のマグネシウム合金製であって側壁８ａの深さが増しているため、ケース強度も一層向上するようにした。【選択図】        図２
2007165561.tif 000002
【特許請求の範囲】
【請求項１】
固定側筐体に対して連結部を介して重ね合わせ自在に連結され、表示装置を含む電子部品を内蔵する可動側筐体を備える携帯端末装置であって、
前記可動側筐体は、
当該可動側筐体用の前記電子部品を内蔵する深さの側壁を有して前記表示装置の表示部を開口部側に露出させる箱形状でマグネシウム合金製の外装ケースと、
該外装ケースの前記開口部に固定されて前記表示装置の前記表示部表面を覆う平板状で樹脂製のパネル板と、
よりなることを特徴とする携帯端末装置。
【請求項２】
前記パネル板は、少なくとも前記表示部に対応する部分が透明であることを特徴とする請求項１に記載の携帯端末装置。
【請求項３】
前記外装ケースは、前記固定側筐体との連結用の前記連結部を備えることを特徴とする請求項１または２に記載の携帯端末装置。
【請求項４】
前記連結部は、折り畳み自在なヒンジ構造からなり、
前記外装ケースは、折り畳み状態で前記固定側筐体に対して外面側となる背面ケースであることを特徴とする請求項１〜３のいずれか一つに記載の携帯端末装置。
【発明の詳細な説明】
【技術分野】
【０００１】
本発明は、固定側筐体に対して可動側筐体を連結部を介して重ね合わせ自在に連結してなる携帯電話機等の携帯端末装置に関するものであり、特に表示装置を含む電子部品を内蔵する可動側筐体を備える折り畳み式の携帯端末装置に関するものである。
【背景技術】
【０００２】
近年、携帯電話機にあっては、小型化の要望に応えつつ表示内容が見やすいように表示画面を大型化するため、各種キーを備える固定側筐体と液晶表示装置等の表示装置を備える可動側筐体とに２分し、可動側筐体を固定側筐体に対してヒンジ構造による折り畳み方式等により重ね合わせ自在としたものが多い。これら固定側筐体、可動側筐体は、それぞれ回路基板等を含めて各種電子部品を内蔵するが、それぞれ前面側ケースと背面側ケースとの２つ割り構造からなり回路基板等をサンドイッチする構造とし、これらのケースの少なくとも一方を軽量・高強度のマグネシウム合金製として強度を確保するようにしたものがある（たとえば、特許文献１，２参照）。
【０００３】
ここで、従来の携帯電話機の構成例について、図６〜図１０を参照して説明する。図６は、従来の折り畳み方式の携帯電話機の構成例を示す外観斜視図であり、図７は、そのうちの可動側筐体およびその内蔵部品例を示す分解斜視図であり、図８は、可動側筐体の概略縦断側面図であり、図９は、その一部の縦断正面図であり、図１０は、その分解正面図である。
【０００４】
図示例の携帯電話機は、０〜９等のテンキー、その他のキー１００類を備える固定側筐体１０１と、ＬＣＤ（液晶表示装置）１０２等を備える可動側筐体１０３とを、ヒンジ構造１０４により折り畳み自在に連結してなる。固定側筐体１０１は、キー１００類側に位置する固定フロントケース１０５と、背面側に位置する固定リアケース１０６との等分２つ割り構造からなる。可動側筐体１０３も、同様に、ＬＣＤ１０２の表示部側に位置する可動フロントケース１０７と、背面側に位置する可動リアケース１０８との等分２つ割り構造からなり、図８に示すように、ねじ止め固定してなる。
【０００５】
ここで、可動リアケース１０８は、例えば樹脂製のもので、図７〜図１０に示すように、回路基板１０９を収納し得る浅めの深さの側壁１０８ａを有する箱形状に形成されている。また、可動フロントケース１０７は、例えばマグネシウム合金製のもので、図７〜図１０に示すように、回路基板１０９上に積層されたＬＣＤホルダ１１０により保持されるパネル構造のＬＣＤ１０２を内蔵してその表示部１０２ａが露出する開口１０７ａを有する枠形状に形成され、かつ、ヒンジ構造１０４中の可動側ヒンジ部１０４ａを備えている。
【０００６】
なお、図示例の携帯電話機は、可動側筐体１０３の背面側においても補助的な表示を行うためのサブＬＣＤモジュール１１１を備えるものであり、サブＬＣＤモジュール１１１を回路基板１０９に接続するためのフレキシブルケーブル１１２を備え、また、可動リアケース１０８の底面には該サブＬＣＤモジュール１１１用の取り付け開口部１０８ｂを備え、外面側からリアパネル板１１３により覆われている。また、図示例の携帯電話機は、アウトカメラホルダ１１４に保持されて回路基板１０９に接続されたＣＣＤ構造のアウトカメラモジュール１１５と、ＬＣＤホルダ１１０中のホルダ部１１０ａに保持されて回路基板１０９に接続されたＣＣＤ構造のインカメラモジュール１１６とを備えるツインカメラ構成とされている。可動リアケース１０８の底面にはアウトカメラモジュール１１５用の取り付け部１０８ｃが形成され、外面側からアウトカメラパネル１１７、カメラカバー１１８により覆われている。さらに、図示例の携帯電話機は、自宅や家族などのようによくかける電話番号をあらかじめ登録しておくことにより、ワンタッチ操作で電話をかけるための複数、例えば３つのワンタッチキー１１９をワンタッチキーモジュール１２０とともに備え、可動フロントケース１０７はワンタッチキー１１９を露出させるための開口部１０７ｂを備える。１０７ｃは、インカメラモジュール１１６を露出させるための開口部である。１２１は、開口１０７ａ周りを覆うように可動フロントケース１０７の外面に取り付けられた透明なパネル板である。
【０００７】
【特許文献１】特開２００３−３４７７５５号公報
【特許文献２】特開２００１−１８５８６５号公報
【発明の開示】
【発明が解決しようとする課題】
【０００８】
近年、携帯電話機は、小型・多機能化の進展に伴い、さらなる強度向上並びに低コスト化が求められているが、上述したような従来の携帯電話機にあっては、このような要望に関してまだ不十分であり、改善の余地がある。
【０００９】
本発明は、上記に鑑みてなされたものであって、可動側筐体に関する改良により、強度を十分に確保しつつ、部品点数を削減して低コスト化を図ることができる携帯端末装置を提供することを目的とする。
【課題を解決するための手段】
【００１０】
上述した課題を解決し、目的を達成するために、請求項１の発明に係る携帯端末装置は、固定側筐体に対して連結部を介して重ね合わせ自在に連結され、表示装置を含む電子部品を内蔵する可動側筐体を備える携帯端末装置であって、前記可動側筐体は、当該可動側筐体用の前記電子部品を内蔵する深さの側壁を有して前記表示装置の表示部を開口部側に露出させる箱形状でマグネシウム合金製の外装ケースと、該外装ケースの前記開口部に固定されて前記表示装置の前記表示部表面を覆う平板状で樹脂製のパネル板と、よりなることを特徴とする。
【００１１】
また、請求項２の発明に係る携帯端末装置は、請求項１の発明において、前記パネル板は、少なくとも前記表示部に対応する部分が透明であることを特徴とする。
【００１２】
また、請求項３の発明に係る携帯端末装置は、請求項１または２の発明において、前記外装ケースは、前記固定側筐体との連結用の前記連結部を備えることを特徴とする。
【００１３】
また、請求項４の発明に係る携帯端末装置は、請求項１〜３のいずれか一つに記載の発明において、前記連結部は、折り畳み自在なヒンジ構造からなり、前記外装ケースは、折り畳み状態で前記固定側筐体に対して外面側となる背面ケースであることを特徴とする。
【発明の効果】
【００１４】
請求項１の発明によれば、固定側筐体に対して重ね合わせ自在に連結される可動側筐体が、当該可動側筐体用の電子部品を内蔵する深さの側壁を有して表示装置の表示部を開口部側に露出させる箱形状でマグネシウム合金製の外装ケースと、該外装ケースの開口部に固定されて表示装置の表示部表面を覆う平板状で樹脂製のパネル板と、よりなるので、可動側筐体用のケースとしては、表示装置の表示部側用のケースが削除されて、箱形状の外装ケース１個で済み、部品点数削減および低コスト化を図ることができ、かつ、該外装ケースが軽量・高強度のマグネシウム合金製であって側壁の深さが増しているため、ケース強度も一層向上させることができるという効果を奏する。
【００１５】
請求項２の発明によれば、外装ケースの開口部に固定されて表示装置の表示部表面を覆う平板状で樹脂製のパネル板は、少なくとも表示部に対応する部分が透明であるので、表示部表面を視認可能に覆うためのパネル板を外装ケースの蓋用のパネルとして活用することができるという効果を奏する。
【００１６】
請求項３の発明によれば、１個のみとされた外装ケースが固定側筐体に対する連結用の連結部を備えるので、固定側筐体に対して重ね合わせ自在な構造を維持することができるという効果を奏する。
【００１７】
請求項４の発明によれば、外装ケースが、ヒンジ構造による折り畳み状態で固定側筐体に対して外面側となる背面ケースであるので、該外装ケースの開口部に固定される平板状で樹脂製のパネル板は外装ケースよりも強度は低いが、携行・保管用の折り畳み状態では固定側筐体に対面する内面側に位置させることで確実に保護することができるという効果を奏する。
【発明を実施するための最良の形態】
【００１８】
以下に添付図面を参照して、この発明に係る携帯端末装置の好適な実施の形態を詳細に説明する。なお、この実施の形態によりこの発明が限定されるものではない。
【実施例】
【００１９】
本実施例は、携帯端末装置として携帯電話機への適用例を示す。図１は、本発明の実施例の携帯電話機を示す外観斜視図である。本実施例の携帯電話機１は、ヒンジ部２により折り畳み自在に連結された固定側筐体３と該固定側筐体３と同等サイズに形成された可動側筐体４を備える。送話用に用いられる固定側筐体３は、ダイヤルキー、機能キー等の各種操作キー５等を備え、受話用に用いられる可動側筐体４は、スピーカ等を内蔵した受話部６や内蔵されたＬＣＤ（液晶表示装置）７の表示部７ａなどを備える。
【００２０】
図２は、可動側筐体およびその内蔵部品例を示す分解斜視図であり、図３は、可動側筐体の概略縦断側面図であり、図４は、その一部の縦断正面図であり、図５は、その分解正面図である。本実施例の可動側筐体４は、その大半をＬＣＤ７が占めることにより見やすい大画面の表示部７ａを実現させるためのものであり、以下に後述する当該可動側筐体４用の各種電子部品を内蔵できるように深めに形成された側壁８ａを有してＬＣＤ７の表示部７ａを開口部８ｂ側に露出させる箱形状の外装ケースなる可動リアケース８と、この可動リアケース８の開口部８ｂに固定されてＬＣＤ７の表示部７ａ表面を覆う平板状のパネル板９とからなり、従来の可動フロントケースを有しない構造とされている。
【００２１】
ここで、可動側筐体４に対する内蔵部品としては、ＬＣＤ７用の回路部品、その他が実装された回路基板１０や、この回路基板１０上に積層されたＬＣＤホルダ１１により保持されるパネル構造のＬＣＤ７や、補助的な表示を行うためのサブＬＣＤモジュール１２や、ツインカメラ構成を実現するＣＣＤ構造のアウトカメラモジュール１３およびインカメラモジュール１４や、ワンタッチキー１５及びワンタッチキーモジュール１６などがある。サブＬＣＤモジュール１２は、回路基板１０に接続するためのフレキシブルケーブル１７を備え、可動側筐体４の外面側に配置させるために、可動リアケース８の底面側に形成された取り付け部８ｃに取り付けられ、外面側からリアパネル１９により覆われている。また、アウトカメラモジュール１３は、アウトカメラホルダ１８に保持されて回路基板１０に接続されたもので、可動側筐体４の外面側に配置させるために、可動リアケース８の底面側に形成された取り付け部８ｄに取り付けられ、外面側からアウトカメラパネル２０、カメラカバー２１により覆われている。インカメラモジュール１４は、ＬＣＤホルダ１１中のホルダ部１１ａに保持されて回路基板１０に接続されて表示部７ａを見ながら自分を撮影するためのものであり、パネル板９の一部にはこのインカメラモジュール１４を露出させるための開口部９ａを備える。また、ワンタッチキー１５及びワンタッチキーモジュール１６は、よくかける電話番号をあらかじめ登録しておくことにより、ワンタッチ操作で電話をかけるためのもので、可動側筐体４において表示部７ａ下部の領域に配置され、パネル板９の一部に形成された開口部９ｂからワンタッチキー１５が露出する構造とされている。
【００２２】
可動側筐体４を固定側筐体３に対して折り畳んだ状態では外面側に位置する可動リアケース８は、例えばＡＺ９１Ｄ，ＡＺ６３Ａ等の軽量・高強度のマグネシウム合金製のもので、ダイカストモールド法、チクソモールド法などによって箱形状に形成されて上記可動側筐体４に対する内蔵部品を内蔵するためのものである。ここで、取り付け部８ｃ，８ｄ用の開口は、例えばプレス打ち抜き加工などにより形成される。また、可動リアケース８は、その端部にヒンジ部２中の可動側ヒンジ部２ａを備えている。
【００２３】
可動側筐体４を固定側筐体３に対して折り畳んだ状態では内面側（固定側筐体３側）に位置するパネル板９は、例えば樹脂製のもので、可動リアケース８の開口部８ｂを全面的に閉塞し得る大きさを有して可動リアケース８内に形成されたボス部８ｅに対して回路基板１０等とともにねじ２２により固定される。ここで、パネル板９は、少なくともＬＣＤ７の表示部７ａに対応する部分は、該表示部７ａの視認性を確保するため透明部９ｃとして形成されている。なお、パネル板９は、全面的に透明部材から構成されていてもよい。
【００２４】
上述してきたように、本実施例では、固定側筐体３に対して折り畳み自在に連結される可動側筐体４が、当該可動側筐体４用の電子部品を内蔵する深さの側壁８ａを有してＬＣＤ７の表示部７ａを開口部８ｂ側に露出させる箱形状でマグネシウム合金製の外装ケース８と、該外装ケース８の開口部８ｂに固定されてＬＣＤ７の表示部７ａ表面を覆う平板状で樹脂製のパネル板９とよりなり、従来の可動フロントケースが削除された構造とされているので、可動側筐体４用のケースとしては、箱形状の１個の可動リアケース８で済み、部品点数を削減することで低コスト化を図ることができる。また、可動リアケース８自体も軽量・高強度のマグネシウム合金製であって側壁８ａの深さが従来の可動フロントケースの深さ分増し、側壁深さ（高さ）の増加により断面２次モーメントが増加することとなり、ケース強度も従来の２つ割り構造の可動リアケースの場合よりも一層向上させることができる。
【００２５】
ここで、従来の可動フロントケースの削除について説明する。可動側筐体においてＬＣＤの表示部側に位置する可動フロントケースは、図７等に示したように、その平板部の殆どが表示部用の開口部構造とされ、ケースとしては、主に側壁部分（枠体）により形成されており、強度的に弱く、かつ、開口部構造部分（表示部部分）にはパネル板が貼付けられる構造であるため、重要性の低い構成部材となっている。よって、このような可動フロントケースを削除し、その側壁部分を可動リアケース８と一体とするとともに、パネル板の大きさを一回り大きくして可動リアケース８の開口部８ｂを閉塞するように蓋として取り付ける構造としても支障ない上に、上述の効果が得られるものである。ここで、可動リアケース８の開口部８ｂに固定される平板状で樹脂製のパネル板９は可動リアケース８よりも強度は低いが、ヒンジ部２による折り畳み状態で、可動リアケース８は固定側筐体３に対して外面側に位置しパネル板９は固定側筐体３に対面する内面側に位置するので、携行・保管用の折り畳み状態ではパネル板９側を確実に保護することができる。
【００２６】
なお、本実施例では、ヒンジ部２による折り畳み方式の携帯電話機１への適用例として説明したが、図示例のヒンジ構造に限らず各種ヒンジ構造に適用でき、さらには、ヒンジ構造による折り畳み方式に限らず、例えばスライド方式や平面内回転方式の連結部構成によって固定側筐体に対して可動側筐体を重ね合わせ自在としたものであっても同様に適用することができる。
【００２７】
また、本実施例では、携帯端末装置として、携帯電話機１への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置の場合にも適用することができる。
【００２８】
（付記１）固定側筐体に対して連結部を介して重ね合わせ自在に連結され、表示装置を含む電子部品を内蔵する可動側筐体を備える携帯端末装置であって、
前記可動側筐体は、
当該可動側筐体用の前記電子部品を内蔵する深さの側壁を有して前記表示装置の表示部を開口部側に露出させる箱形状でマグネシウム合金製の外装ケースと、
該外装ケースの前記開口部に固定されて前記表示装置の前記表示部表面を覆う平板状で樹脂製のパネル板と、
よりなることを特徴とする携帯端末装置。
【００２９】
（付記２）前記パネル板は、少なくとも前記表示部に対応する部分が透明であることを特徴とする付記１に記載の携帯端末装置。
【００３０】
（付記３）前記外装ケースは、前記固定側筐体との連結用の前記連結部を備えることを特徴とする付記１または２に記載の携帯端末装置。
【００３１】
（付記４）前記連結部は、折り畳み自在なヒンジ構造からなることを特徴とする付記１〜３のいずれか一つに記載の携帯端末装置。
【００３２】
（付記５）前記外装ケースは、折り畳み状態で前記固定側筐体に対して外面側となる背面ケースであることを特徴とする付記４に記載の携帯端末装置。
【００３３】
（付記６）前記表示装置は、液晶表示装置であることを特徴とする付記１〜５のいずれか一つに記載の携帯端末装置。
【産業上の利用可能性】
【００３４】
以上のように、本発明に係る携帯端末装置は、分割構造で大画面表示のための可動側筐体を備える携帯端末装置に有用であり、特に、キー類を備える固定側筐体に対して可動側筐体が折り畳み自在に連結されている場合に適している。
【図面の簡単な説明】
【００３５】
【図１】本発明の実施例の携帯電話機を示す外観斜視図である。
【図２】可動側筐体およびその内蔵部品例を示す分解斜視図である。
【図３】可動側筐体の概略縦断側面図である。
【図４】図３の一部の縦断正面図である。
【図５】図４の分解正面図である。
【図６】従来の折り畳み方式の携帯電話機の構成例を示す外観斜視図である。
【図７】可動側筐体およびその内蔵部品例を示す分解斜視図である。
【図８】可動側筐体の概略縦断側面図である。
【図９】図８の一部の縦断正面図である。
【図１０】図９の分解正面図である。
【符号の説明】
【００３６】
１  携帯電話機
２  ヒンジ部
３  固定側筐体
４  可動側筐体
７  ＬＣＤ
７ａ  表示部
８  可動リアケース
８ａ  側壁
８ｂ  開口部
９  パネル板
９ｃ  透明部材
１０  回路基板
【図１】
2007165561.tif 000003
【図２】
2007165561.tif 000004
【図３】
2007165561.tif 000005
【図４】
2007165561.tif 000006
【図５】
2007165561.tif 000007
【図６】
2007165561.tif 000008
【図７】
2007165561.tif 000009
【図８】
2007165561.tif 000010
【図９】
2007165561.tif 000011
【図１０】
2007165561.tif 000012